(57)【特許請求の範囲】
【請求項１】
集水器の両側壁に設けた軒樋挿入孔に、一対の軒樋の端部が相対向して嵌合係止されてなる雨樋の集水装置において、前記集水器内に位置する両軒樋の耳部が、平板部の両側縁部に前記軒樋の耳部が内挿されるガイド部を有する継手部材にて橋渡しされ、このガイド部の外面の２箇所に、軒樋の切断位置を示す標示が設けられていることを特徴とする雨樋の集水装置。
【発明の詳細な説明】
【０００１】
【発明の属する技術分野】
本発明は集水器における雨樋の集水装置に関する。
【０００２】
【従来の技術】
従来、一対の軒樋を集水器を介して接続するには、図３に示すように、集水器１ａの両側壁に設けた軒樋挿入孔（切欠部）３ａに、軒樋５ａの端部を単に挿入係止して行われていた。しかしながら、この場合、軒樋の端部の挿入長さの設定を誤ると、軒樋の縮小により軒樋の端部が集水器の周壁部から抜け落ちるという問題があった。また、雨水が集水器内の軒樋の端部裏面を伝わって集水器外に漏れるという問題もあった。なお、２ａは係止爪、６ａは耳部である。
【０００３】
ところで、たとえば実開昭６０−８３１２９号公報に記載されているように、施工業者が、軒樋を縁切りすることなく取付施工を行うこともある。
つまり、軒樋を切断せずにそのまま軒樋の下方から、両側壁の軒樋挿入孔を利用して、集水器を押し上げて軒樋の外側に装着することにより、集水器の取付施工を行ってしまうのである。このような施工が行われた軒樋の集水装置においては、集水器の部分において、軒樋の熱伸縮を吸収することはできないので、この熱伸縮の影響により集水器が変形して傾いたり、あるいは破損するという恐れがあった。
【０００４】
このような問題を解決した雨樋の集水装置として、図４に示すように、集水器１ａ内に位置する軒樋５ａの先端に複数の折り曲げ片４ａを外向きに設けたものが知られている（実開昭５５−１３５７３２号公報を参照）。
【０００５】
【発明が解決しようとする課題】
確かに図４に示す集水装置においては、軒樋の端部の抜け落ちや雨水の集水器外への漏れなどの問題は解決できる。しかしながら、塩化ビニル樹脂などの合成樹脂製の軒樋の場合、上記折り曲げ片を形成するための作業が大変であり、しかも、たとえば鋏にて切り込みを入れる際に、鋏割れが生じる恐れもあった。
【０００６】
本発明の目的は、集水器内にて軒樋の伸縮をうまく吸収でき、集水器の変形や破損を防止できる雨樋の集水装置を提供することである。
【０００７】
【課題を解決するための手段】
請求項１記載の本発明は、集水器の両側壁に設けた軒樋挿入孔に、一対の軒樋の端部が相対向して嵌合係止されてなる雨樋の集水装置において、前記集水器内に位置する両軒樋の耳部が、平板部の両側縁部に前記軒樋の耳部が内挿されるガイド部を有する継手部材にて橋渡しされ、このガイド部の外面の２箇所に、軒樋の切断位置を示す標示が設けられているものである。
【０００８】
（作用）
請求項１記載の発明においては、平板部の両側縁部にガイド部を有する継手部材のガイド部に両軒樋の耳部が内挿され、この継手部材にて集水器内に位置する両軒樋の耳部が橋渡しされているので、軒樋の熱伸縮は両軒樋の耳部がガイド部内で軒樋の長手方向に摺動することで吸収できる。また、ガイド部の外面の２箇所に設けられている標示を目印として、施工作業者が切断位置を間違えずに、所定位置にて軒樋を切断することができる。
【０００９】
本発明における継手部材の材質は、硬質塩化ビニル樹脂などの合成樹脂の他、ステンレスなどの金属であってもよい。また、継手部材のガイド部の形状や寸法は、適用される軒樋の耳部の形状や寸法に対応させればよい。
【００１０】
【発明の実施の形態】
以下、本発明の実施の形態を図面に基づいて説明する。
図１は本発明の軒樋の集水装置の第１実施例を示す縦断面図、図２は図１における継手部材を示す拡大斜視図である。
【００１１】
図１において、１は上方が開口した硬質塩化ビニル樹脂製の箱状の集水器であり、その両側壁２，２には軒樋挿入孔３，３が設けられている。軒樋挿入孔３，３は上方に開口しており、その形状は軒樋７の外形に符合した形状とされ、前後上端部にそれぞれ内方に開口した断面Ｃ字状の耳部嵌合部４，４が設けられている。集水器１の底部には排水口５が設けられている。
【００１２】
６はポリカーボネ−ト樹脂製の継手部材であり、図２に示すように、平板部６１の両側縁部には断面Ｃ字状のガイド部６２，６２が設けられている。このガイド部６２の内面形状は軒樋７の耳部７１の外面形状に符合した形状とされ、このガイド部６２内に軒樋７の耳部７１が内挿されるようにされている。両ガイド部６２はともに内方に開口している。また、両ガイド部６２の上面には長手方向に沿って細長い孔６４が設けられている。この細長い孔６４はガイド部６２内に挿入される耳部７１の位置を確認するためのものである。そして、ガイド部６２の一方の外面には把手６５が設けられている。
【００１３】
ガイド部６２，６２の外面の所定位置には、標示である凸部６２ａ，６２ａが設けられている。この凸部６２ａは軒樋７の切断位置を、施工作業者に教える目印となるものである。平板部６１の中央には雨水を落とすための孔６３が設けられている。そして、凸部６２ａよりも孔６３側に位置するガイド部６２の内面には係止突起６２ｂが設けられている。この係止突起６２ｂは軒樋７，７の異常な伸長を防止するためのものである。
【００１４】
施工者は凸部６２ａを切断位置の目印として、軒樋７，７を所定長さに切断する。その際、目印となる凸部６２ａが存在しているので、施工者は切断位置を間違えることがない。そして、図１に示すように、軒樋７，７端部の耳部７１，７１がそれぞれ継手部材６のガイド部６２，６２内に内挿され、両軒樋７の耳部７１，７１が継手部材６にて橋渡しされた状態で集水器１内に配設されることにより、集水器装置が構成されている。
【００１５】
上記実施例の集水器装置においては、軒樋の伸縮は両軒樋７の耳部７１がガイド６２内面に沿って摺動することにより、スムーズに吸収される。また、両軒樋７の耳部７１，７１が継手部材６にて橋渡しされているので、設置状態は安定している。
【００１６】
また、上記実施例においては、ガイド部６２の外面に目印となる凸部６２ａが存在しているので、施工者は切断位置を間違えることがない。さらに、ガイド部６２の内面に係止突起６２ｂが設けられていることにより、異常気象に起因する軒樋７，７の異常な伸長は防止される。このため、雨水の排水特性は損なわれない。
【００１７】
【発明の効果】
請求項１記載の発明においては、平板部の両側縁部にガイド部を有する継手部材のガイド部に両軒樋の耳部が内挿され、この継手部材にて集水器内に位置する両軒樋の耳部が橋渡しされているので、軒樋の熱伸縮は両軒樋の耳部がガイド部内で軒樋の長手方向に摺動することで吸収できる。このため、集水器が変形したり破損することがない。また、ガイド部の外面の２箇所に設けられている標示を目印として、施工作業者が切断位置を間違えずに、所定位置にて軒樋を切断することができる。
【図面の簡単な説明】
【図１】本発明における雨樋の集水装置の第１実施例を示す縦断面図である。
【図２】図１における継手部材を示す拡大斜視図である。
【図３】従来の雨樋の集水装置を示す斜視図である。
【図４】従来の改良された雨樋の集水装置を示す斜視図である。
【符号の説明】
１  集水器
２  側壁
３  軒樋挿入孔
４  耳部嵌合部
６  継手部材
６２  ガイド部
６２ａ  凸部（標示）
６２ｂ  係止突起
７  軒樋
７１  耳部
【図１】
0003887056.tif 000002
【図２】
0003887056.tif 000003
【図３】
0003887056.tif 000004
【図４】
0003887056.tif 000005